(57)【要約】【課題】  オフセット印刷による連続地紋画線と凹版印刷による料額及び人像等の券種判別性を付与した有価証券において、券種判別性を損なうことなく連続地紋印刷領域を形成する。【解決手段】  本発明は、基材上に形成された連続地紋模様上に凹版印刷による料額及び人像等の券種判別領域を付与した貴重印刷物であって、券種識別領域が形成された券面の上下である、すなわち、ワイピングローラの拭き方向の端部には、連続地紋を形成せず、非地紋印刷領域を形成することで、貴重印刷物の券種判別性を損なうことなく、かつ、凹版印刷における印刷トラブル等を早期に発見することができる貴重印刷物である。【選択図】図１
2014136326.tif 000002
【特許請求の範囲】
【請求項１】
基材上の少なくとも一部に、凹版印刷によって盛り上がりを有する画線で形成された券種判別領域と、前記盛り上がりを有する画線と比較して盛り上がりの少ない画線によって形成された地紋印刷領域を少なくとも有する貴重印刷物であって、
前記券種識別領域は、料額、人像、建物、動植物、美術品及び風景から選択されるいずれか１つ又は複数の組合せによって形成され、
前記地紋印刷領域は、前記貴重印刷物の長辺及び／又は短辺の両端部まで形成された連続地紋が形成され、
前記連続地紋は、前記券種識別領域が形成された前記貴重印刷物における前記凹版印刷時のワイピングローラの拭き方向の端部の少なくとも一部に前記連続地紋を配置しない非地紋印刷領域を有することを特徴とする貴重印刷物。
【発明の詳細な説明】
【技術分野】
【０００１】
本発明は、銀行券及び商品券等の有価証券に関し、特に、多面化シートとして印刷される複数の小切れ領域に連続する地紋模様が施された貴重印刷物に関する発明である。
【背景技術】
【０００２】
従来から、銀行券及び商品券等の有価証券は、金銭的価値を有するため、偽造又は改ざん等がされないように、偽造防止技術や真偽判別技術を付与することが必須となっている。これらの有価証券の印刷としては、オフセット印刷による微細な細画線が形成された地紋印刷と、カラーコピー機等で再現することができない、印刷膜厚の高い凹版印刷画線を形成することが主流となっている。
【０００３】
また、更なる偽造防止効果として、多面化シートの隣接する面に対して連続して形成される連続地紋印刷が知られている。
【０００４】
連続地紋印刷を用いた真偽判別方法として、本出願人は、連続地紋印刷が施された多面化シートを断裁機によって断裁した際に、断裁包丁の表裏面に位置する断裁後の小切れ束の断裁面（側面）の繊維状態が異なることで、連続地紋印刷の色と基材自体の色が混色する量が異なり、断裁包丁の表側と裏側で異なる色の断裁面が形成されることを利用し、それぞれの断面の色により真偽判別を行う方法について出願している（例えば、特許文献１参照。）。
【０００５】
ここで、連続地紋が形成された従来の印刷物について、図３及び図４を用いて説明する。図３の印刷物１０´は、基材１´に、オフセット印刷で連続地紋２´、凹版印刷で人像３´、料額４´、彩紋５´を印刷している。このとき、連続地紋２´は、多面化シート内の上下、左右方向に隣接する小切れ領域に連続する地紋印刷が施された状態である、すなわち、多面化シートにおける余白部分にはみ出した形で地紋印刷が施されているため、小切れ状の印刷物１０´の全面に地紋印刷が形成されている。
【０００６】
図４は、連続地紋２´が印刷物１０´に部分的に形成された例であり、その他の構成は、図３と同一である。なお、「連続地紋」とは、印刷物の長辺及び／又は短辺の端部まで設けた地紋画線をいう。
【０００７】
また、連続地紋が形成されていない、一般的な有価証券印刷物の比較例について、図５を用いて説明する。図５のように、印刷物１０´の長辺及び／又は短辺に余白部Ｙを設けた構成となっており、印刷物１０´の長辺及び／又は短辺の端部から１０ｍｍ程度の余白部Ｙを有している。
【０００８】
また、図３に示すように、通常の有価証券の印刷物１０´は、凹版印刷で形成する凹版図柄のうち、人像３´と料額４´は、比較的大きな領域として形成される。この理由は、料額４´が異なる貴重印刷物を作製する場合、券種判別を確実に行うことが求められるため、有価証券類のデザインにおいては、人像３´や料額４´の領域を大きくすることが有利と考えるためである。なお、人像３´と料額４´は、凹版印刷によって形成されるため、人像３´と料額４´を形成する画線は盛り上がっている。
【０００９】
一方、カラーコピー機等による偽造行為を抑止する凹版印刷については、凹版版面に形成された凹版画線にインキを充填した後に、ワイピングローラで凹版版面の余白部等に付着した不要なインキを拭き取り、凹版版面上の画線部に充填されたインキによって凹版印刷画線が形成される。
【００１０】
この凹版印刷時に凹版版面に接触して不要インキを拭き取るワイピングローラ表面は、凹凸形状により凹版画線が施された凹版版面の表面に対して、所定の接触圧により不要インキの除去を行っているため、特に、版面上における凹版画線が多く形成された領域に接触する部分については、表面の摩耗度合いが激しく、凹凸等が発生し、拭き残り等の印刷トラブルが発生する。
【００１１】
また、拭き残り等の印刷トラブルは、通常、発生直後の段階では、ワイピングローラの当該個所の凹凸が小さいため、淡い色の汚れとして発生し、徐々にワイピングローラの当該個所の凹凸が大きくなるに伴い、濃い色として現出する。したがって、拭き残り等の印刷トラブルによる損紙の発生枚数を抑制するためには、印刷物上の汚れが淡い色の時点で、如何にトラブルを発見することができるかが重要となる。なお、図３及び図４においては図示しないが、印刷物の上下方向がワイピングローラの拭き方向となる。
【００１２】
一方、図３及び図４は、人像３´及び料額４´の上下に連続地紋を配置しているため、拭き残り等の印刷トラブルが発生した場合、連続地紋が形成された領域と拭き残り等の印刷トラブルによる汚れが発生した領域が重なり、拭き残り等の判定が難しくなる。特に、トラブル発生直後の段階における淡い色の汚れでは、人為的にも機械的にも判定することが困難であるため、製造上の課題であった。
【００１３】
さらに、前述したように、券種識別性を向上させるため、凹版印刷画線の人像３´及び料額４´は、印刷面積を大きくすることで、券種識別性を向上させているが、これらの人像３´及び料額４´を覆う形の連続地紋を形成した場合、注目し難くなるという欠点があった。
【先行技術文献】
【特許文献】
【００１４】
【特許文献１】特開２０１２−０８３９５７号公報
【発明の開示】
【発明が解決しようとする課題】
【００１５】
本発明は、前述した課題の解決を目的とするものであり、連続地紋が形成された有価証券印刷物であっても、券種識別性を低下させることなく、かつ、印刷トラブル発生段階における淡い汚れであっても、早期に発見することができる連続地紋が形成された貴重印刷物に関する発明である。
【課題を解決するための手段】
【００１６】
本発明の貴重印刷物は、基材上の少なくとも一部に、凹版印刷によって盛り上がりを有する画線で形成された券種判別領域と、前述した盛り上がりを有する画線と比較して盛り上がりの少ない画線によって形成された地紋印刷領域を少なくとも有する貴重印刷物であって、券種識別領域は、料額、人像、建物、動植物、美術品及び風景から選択されるいずれか１つ又は複数の組合せによって形成され、地紋印刷領域は、貴重印刷物の長辺及び／又は短辺の両端部まで形成された連続地紋が形成され、連続地紋は、券種識別領域が形成された貴重印刷物における凹版印刷時におけるワイピングローラの拭き方向の端部の少なくとも一部に連続地紋を配置しない非地紋印刷領域を有することを特徴とする貴重印刷物。
【発明の効果】
【００１７】
本発明の貴重印刷物は、券種識別性を損なうことなく連続地紋を形成することができることから、偽造防止抵抗力が向上する。
【００１８】
また、本発明の貴重印刷物は、拭き残り等の印刷トラブルが発生しやすい、凹版印刷画線が多く形成された領域に連続地紋が形成されていないことから、印刷トラブル発生直後の淡い汚れが発生した時点で印刷トラブルの発生を発見することができることから、大量な損紙の発生を抑制することができる。
【図面の簡単な説明】
【００１９】
【図１】第１の実施の形態における印刷物を示す図
【図２】第２の実施の形態における印刷物を示す図
【図３】従来の連続地紋を有する印刷物を示す図
【図４】従来の連続地紋を有する印刷物を示す図
【図５】連続地紋のない印刷物を示す図
【発明を実施するための形態】
【００２０】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００２１】
（第一の実施の形態）
本発明の第一の実施の形態について、図面を用いて説明する。図１は、第１の実施の形態における印刷物１０を示すものであり、基材１にオフセット印刷により印刷された連続地紋２と、凹版印刷により印刷された人像３、料額４及び彩紋５が形成された商品券タイプの印刷物１０である。
【００２２】
第１の実施の形態における印刷物１０は、凹版印刷画線が形成される領域において、最も画線領域が多く形成される人像３の上下である、すなわち、ワイピングローラの拭き方向における上下部分に連続地紋を形成しない配置とし、それ以外の領域については、印刷物１０の長辺及び短辺の端部までに連続地紋が形成される配置として設計している。
【００２３】
第１の実施の形態における印刷物１０は、凹版印刷で形成される人像３の領域が大きいため、ワイピングローラ表面と凹版画線部の接触時に発生する凹凸が多く発生するため、ワイピングローラ表面において発生する凹凸に起因する拭き残り等の印刷トラブルが発生しやすい状態である。
【００２４】
第１の実施の形態における印刷物は、印刷画線が最も多く配置される人像３部分に連続地紋が配置されていないため、拭き残り等の印刷トラブルが発生する初期段階であっても余白部に発生する汚れ等を発見しやすい画線配置であり、損紙の発生枚数を低減することが可能である。
【００２５】
また、第１の実施の形態における印刷物１０は、人像３の上下に連続地紋２が形成されていないことから、図３の従来の連続地紋が形成された印刷物１０´と比較すれば明らかなように、人像３の背景領域となる領域に連続地紋が形成されていないことから、人像３が強調して観察され、券種判別性が低下することもない。
【００２６】
また、第一の実施の形態における印刷物１０では、券種判別性に人像３を利用しているが、人像３の代わりに建物、動植物、美術品及び風景等を用いることも可能であり、これらは、本発明の範囲内である。
【００２７】
（第二の実施の形態）
本発明の第二の実施の形態について、図面を用いて説明する。図２は、第２の実施の形態における印刷物１０を示すものであり、基材１にオフセット印刷により印刷された連続地紋２と、凹版印刷により印刷された人像３、料額４及び彩紋５が形成された商品券タイプの印刷物１０である。
【００２８】
また、第２の実施の形態における印刷物１０は、券種判別性を向上させるために、第１の実施の形態の印刷物１０と比較して、料額４を大きく設定している。
【００２９】
第２の実施の形態における印刷物１０は、凹版印刷領域が大きく形成される人像３及び料額４部分の上下である、すなわち、ワイピングローラの拭き方向の上下部分には、連続地紋を形成しない配置とし、それ以外の領域については、印刷物１０の長辺及び短辺の端部までに連続地紋が形成される配置として設計している。
【００３０】
第２の実施の形態における印刷物１０は、凹版印刷で形成される人像３及び料額４の凹版印刷領域が大きいため、凹版画線部との接触時に発生するワイピングローラ表面の凹凸が多く発生することから、ワイピングローラ表面において発生する凹凸に起因する拭き残り等の印刷トラブルが発生しやすい状態である。
【００３１】
第２の実施の形態における印刷物１０は、凹版印刷画線が最も多く配置される人像３及び料額４部分に連続地紋が配置されていないため、拭き残り等の印刷トラブルが発生する初期段階であっても、余白部に発生する汚れなどを発見しやすい画線配置であり、損紙の発生枚数を低減することが可能である。
【００３２】
また、第２の実施の形態における印刷物１０は、人像３及び料額４の上下に連続地紋２が形成されていないことから、図３の従来の連続地紋が形成された印刷物１０´と比較すれば明らかなように、人像３及び料額４の背景領域となる領域に連続地紋が形成されていないことから、人像３及び料額４が強調して観察され、券種判別性が低下することもない。
【００３３】
また、第２の実施の形態における印刷物１０では、券種判別性に人像３を利用しているが、人像３の代わりに建物、動植物、美術品及び風景等を用いることも可能であり、これらは、本発明の範囲内である。
【符号の説明】
【００３４】
１、１´      基材
２、２´      連続地紋
３、３´      人像
４、４´      料額
５、５´      彩紋
１０、１０´  印刷物
Ｙ            余白
【図１】
2014136326.tif 000003
【図２】
2014136326.tif 000004
【図３】
2014136326.tif 000005
【図４】
2014136326.tif 000006
【図５】
2014136326.tif 000007